(57)【要約】【課題】導風パネルを容易に着脱でき、着脱中に導風パネルが落下することのないパネル構造を実現する。【解決手段】導風パネル２０の後側に、支持材３１を係止する係止部３００が設けられる。導風パネル２０の前側は、支持材３１の回動軸３３０に保持される。導風パネル２０が閉姿勢のとき、係止部３００の操作ボタン３０４を操作して、支持材３１の係止を解除する。導風パネル２０は支持材３１から外れるが、支持材３１はキャビネット３に支持されている。導風パネル２０の前側が回動軸３３０に引っ掛かって、導風パネル２０は、ぶら下がり、落下しない。【選択図】図１７
2010181147.tif 000002
【特許請求の範囲】
【請求項１】
キャビネットに吹出口が形成され、吹出口からの風を室内空間に導く導風パネルを着脱自在に支持する支持材が設けられ、導風パネルあるいは支持材の一方に、他方を係止する係止部が設けられ、支持材に対して導風パネルを回動自在に保持する保持部が設けられ、係止部による係止が解除されたとき、導風パネルは、保持部により支持材にぶら下がることを特徴とする空気調和機。
【請求項２】
保持部は、導風パネルにおいて係止部よりも上側に位置することを特徴とする請求項１記載の空気調和機。
【請求項３】
導風パネルに係止部が設けられ、係止部は、支持材を押え込む移動自在な可動部材を備え、可動部材の一部が導風パネルの外面に露出して、可動部材は、外部からの操作により移動して、支持材の係止を解除することを特徴とする請求項１または２記載の空気調和機。
【請求項４】
可動部材は、導風パネルに移動自在に支持され、可動部材が導風パネルから外れないように、可動部材の移動が規制されたことを特徴とする請求項３記載の空気調和機。
【請求項５】
保持部は、導風パネルあるいは支持材の一方に設けられた回動軸と、他方に設けられた軸受とからなることを特徴とする請求項１〜４のいずれかに記載の空気調和機。
【発明の詳細な説明】
【技術分野】
【０００１】
本発明は、室内ユニットに冷暖房運転に応じて開閉するパネルを有する空気調和機に関する。
【背景技術】
【０００２】
空気調和機の室内ユニットには、キャビネットの前面に吹出口が形成され、吹出口から温風あるいは冷風が吹き出される。冷暖房運転に応じて、吹き出す風の向きを切り換えるパネルが設けられる。
【０００３】
例えば、特許文献１では、パネルとして、腕部の先端に上下風向変更羽根が取り付けられている。上下風向変更羽根が回動することにより、吹き出し方向が変更される。
【先行技術文献】
【特許文献】
【０００４】
【特許文献１】特開２００６−１３８６２９号公報
【発明の概要】
【発明が解決しようとする課題】
【０００５】
上記では、パネルが腕部に直接接続された構造である。言い換えれば、パネルを駆動する駆動手段に軸を介してパネルが直接取り付けられている。そのため、パネルは、軸から容易に外れないようになっている。
【０００６】
ところで、パネルは、清掃やメンテナンスのために取り外せることが好ましい。しかし、パネルが駆動手段に直接取り付けられていると、パネルの着脱が困難となる。パネルを取り外しやすくすると、パネルを装着したときに軸との嵌合が不十分となり、パネルの開閉がスムーズに行われないおそれがある。
【０００７】
すなわち、パネルを駆動手段に直接取り付ける構造とする限り、上記のような問題を避けることができない。そこで、本発明は、上記に鑑み、容易に着脱でき、開閉動作の信頼性を保つことができる空気調和機の提供を目的とする。
【課題を解決するための手段】
【０００８】
本発明は、キャビネットに吹出口が形成され、吹出口からの風を室内空間に導く導風パネルを着脱自在に支持する支持材が設けられ、導風パネルあるいは支持材の一方に、他方を係止する係止部が設けられ、支持材に対して導風パネルを回動自在に保持する保持部が設けられたものである。
【０００９】
導風パネルは、支持材を介して開閉機構に接続される。導風パネルが開閉するとき、支持材とともに開閉される。そして、導風パネルは支持材に対して着脱されるので、開閉機構から直接着脱されることはない。
【００１０】
導風パネルは、上下方向において支持材に少なくとも２点で支持される。導風パネルは、１点での支持が解除されても、他点で支持されることが好ましい。着脱するとき、導風パネルは少なくとも１点で支持材に支持された状態となるので、着脱の作業中に、導風パネルが落下するのを防止できる。
【００１１】
係止部による係止が解除されたとき、導風パネルは、保持部により支持材にぶら下がる。このように、導風パネルは支持材から外れるが、保持部による１点で支持されるので、落下しない。
【００１２】
保持部は、導風パネルにおいて係止部よりも上側に位置することが好ましい。下側にある係止部による係止が解除されると、導風パネルの下側は支持材から外れる。しかし、導風パネルの上側は支持材に支持されているので、導風パネルは支持材にぶら下がる。このとき、キャビネットは湾曲面になっているので、吹出口は外部に露出され、導風パネルを完全に支持材から外さなくても、吹出口の清掃等を行える。
【００１３】
導風パネルに係止部が設けられ、係止部は、支持材を押え込む移動自在な可動部材を備える。可動部材の一部が導風パネルの外面に露出して、可動部材は、外部からの操作により移動して、支持材の係止を解除することが好ましい。これにより、導風パネルの外側から可動部材を移動させることができる。導風パネルが閉まっている閉姿勢にあっても、外部からの操作により、係止を解除して、導風パネルを簡単に支持材から外せる。
【００１４】
可動部材は、導風パネルに移動自在に支持され、可動部材が導風パネルから外れないように、可動部材の移動が規制されることが好ましい。外部から操作したときに、可動部材が移動しすぎることを防止でき、可動部材が導風パネルから外れるのを防げる。
【００１５】
保持部は、導風パネルあるいは支持材の一方に設けられた回動軸と、他方に設けられた軸受とからなる。回動軸が軸受に嵌まることにより、係止が解除されても、導風パネルは支持材に支持されることが好ましい。回動軸を軸受から外すことにより、導風パネルを完全に支持材から外せる。
【発明の効果】
【００１６】
本発明によると、導風パネルは支持材にぶら下がった状態になるので、導風パネルの着脱作業中に導風パネルが落下することはない。
【図面の簡単な説明】
【００１７】
【図１】本発明の空気調和機の室内ユニットの斜視図
【図２】導風パネルが閉まっているときの室内ユニットの概略断面図
【図３】導風パネルが上開きしたときの室内ユニットの斜視図
【図４】導風パネルが上開きしたときの室内ユニットの概略断面図
【図５】導風パネルが下開きしたときの室内ユニットの斜視図
【図６】導風パネルが下開きしたときの室内ユニットの概略断面図
【図７】空気調和機の制御ブロック図
【図８】支持材を係止する導風パネルの要部を示す図
【図９】係止時の係止部を示す図
【図１０】係止を解除したときの係止部を示す図
【図１１】係止時の係止部の断面図
【図１２】係止を解除したときの係止部の断面図
【図１３】内面側から見た導風パネルの平面図
【図１４】図１４のＡ−Ａ矢視図
【図１５】支持材の平面図
【図１６】支持材の側面図
【図１７】導風パネルの後側を支持材から外す前および外した後の室内ユニットの概    略断面図
【図１８】導風パネルが上開きし、風を吹出口直下に吹出すときの室内ユニットの概    略断面図
【図１９】導風パネルが上開きし、風を吹出口直下より少し斜め方向に吹出すときの    室内ユニットの概略断面図
【図２０】導風パネルが上開きし、風を斜め下方向に吹出すときの室内ユニットの概    略断面図
【図２１】導風パネルの開閉機構を示す室内ユニットの概略断面図
【図２２】規制部における切換部の動きを説明するための図であり、（ａ）は初期状    態、（ｂ）は上開き時、（ｃ）は下開き時
【図２３】規制部の動きを説明するための図であり、（ａ）は初期状態、（ｂ）は上    開き時、（ｃ）は下開き時
【図２４】導風パネルが閉まっているときの移動部を示す室内ユニットの概略断面図
【図２５】導風パネルが上開きしたときの移動部を示す室内ユニットの概略断面図
【図２６】導風パネルが下開きしたときの移動部を示す室内ユニットの概略断面図
【図２７】規制部の分解斜視図
【図２８】移動部の分解斜視図
【発明を実施するための形態】
【００１８】
本実施形態の空気調和機の室内ユニットを図１、２に示す。室内ユニットは、熱交換器１および室内ファン２を備え、これらがキャビネット３に内装されている。キャビネット３は、高さよりも奥行きが長い箱状に形成され、前面から底面にかけて湾曲面とされる。キャビネット３の上面に吸込口４が形成され、湾曲面に吹出口５が形成される。
【００１９】
キャビネット３の内部には、吸込口４から吹出口５に至る空気通路６が形成され、この空気通路６に熱交換器１と室内ファン２とが配設される。吸込口５と熱交換器１との間に、フィルタ７が配され、吸込口４から吸込んだ室内の空気から塵埃を除去する。このフィルタ７を清掃する清掃装置８が設けられる。
【００２０】
清掃装置８は、キャビネット３内でフィルタ７を移動させて、塵埃除去部９を通過させ、塵埃除去部９において、フィルタ７に付着した塵埃を除去する。キャビネット３内の前側に、側面視でＵ字形に湾曲した案内路１０が形成され、モータ、ギアからなる移動部が、フィルタ７を案内路１０に沿って往復移動させる。塵埃除去部９において、回転ブラシ１１により、通過するフィルタ７から塵埃を掻き取り、吸引ファンにより、フィルタ７と略平行方向（左右方向）に空気を流して、掻き取った塵埃を吸引して排出する。
【００２１】
キャビネット３の湾曲面には、吹出口５を開閉する導風パネル２０が設けられる。図３〜６に示すように、導風パネル２０は、上下両開き可能とされ、導風パネル２０を開閉する開閉機構が設けられる。
【００２２】
空気調和機では、室内ユニットに対して図示しない室外ユニットが室外に設置されている。室外ユニットには、圧縮機、熱交換器、四方弁、室外ファン等が内装され、これらと室内側の熱交換器１とによって冷凍サイクル４０が形成される。そして、図７に示すように、冷凍サイクル４０を制御する制御装置４１が室内ユニットに設けられる。マイコンからなる制御装置４１は、ユーザの指示および室温や外気温を検出する温度センサ等の各種のセンサ４２の検出信号に基づいて、冷凍サイクル４０を制御し、冷暖房運転を行う。このとき、制御装置４１は、冷暖房運転に応じて開閉機構を制御し、導風パネル２０を開閉する。また、制御装置４１は、定期的に、あるいはユーザからの指示により、清掃装置８を制御して、フィルタ７を清掃する。
【００２３】
導風パネル２０は、湾曲した１枚のパネルによって形成され、導風パネル２０の幅は、キャビネット３の幅と同寸とされ、吹出口５の幅より大とされる。そして、キャビネット３の前面には、前面の中段部分から底面にかけて、一段低くなるように前パネル２１が形成される。これによって、幅方向全体に凹部が形成され、凹部に導風パネル２０が嵌るようになっている。凹部を形成する前パネル２１に開口が形成され、この開口が吹出口５である。そのため、導風パネル２０は、吹出口５よりも前方に位置することになり、吹出口５および吹出口５の周囲の前パネル２１を覆う。このとき、導風パネル２０は図２に示す閉姿勢となる。
【００２４】
閉姿勢のとき、導風パネル２０の前端および後端とキャビネット３との間に隙間が形成される。図４、６に示すように、導風パネル２０が開閉するとき、導風パネル２０の端部がこの隙間に入り込む。導風パネル２０は、キャビネット３に当たらずにスムーズに回動できる。また、上開きあるいは下開きにおいて、導風パネル２０が最大に開いたとき、導風パネル２０がキャビネット３に接触するように、導風パネル２０の前後の端部を形成することにより、吹き出した風が漏れることを防げる。特に、冷風の場合には、キャビネット３の底面側での結露を防止できる。
【００２５】
このように、導風パネル２０の外面がキャビネット３の前面から底面に至る滑らかな湾曲面を構成する。すなわち、導風パネル２０が、キャビネット３の前面の一部を構成する部材となる。言い換えれば、キャビネット３のパネルの一部を導風パネル２０として利用する。これによって、導風パネル２０は、従来の空気調和機に採用されているルーバに比べて全長が長いロングパネルとなる。
【００２６】
導風パネル２０は、上下の軸を中心にして、異なる方向に回動することにより、上下いずれかの方向に開く。図５、６に示すように、導風パネル２０は、冷房運転時には下軸２２周りに下開きする。この下開き姿勢のとき、導風パネル２０は、吹出口５の下壁とつながり、導風パネル２０と吹出口５の上壁とによってロングノズルが形成される。導風パネル２０は、冷風を斜め上方向に導き、冷風が天井に沿って吹き出す。
【００２７】
図３、４に示すように、暖房運転時には上軸２３周りに上開きする。この上開き姿勢のとき、導風パネル２０は、吹出口５の前方を遮蔽し、前方に向かって吹き出される温風を押さえ込み、温風を床面方向に導く。なお、冷房運転の初期時にも、導風パネル２０は上開き姿勢とされ、冷風が床面方向に吹き出され、急速冷房が行われる。導風パネル２０は、図２に示すように、運転停止時には閉姿勢となり、吹出口５を覆って、キャビネット３と一体化する。
【００２８】
ところで、上記のように大型化された導風パネル２０では、捩れや撓みが生じやすい。そこで、導風パネル２０の内面において、前後方向（短手方向）側の両端縁に補強用の周壁が形成される。周壁は、左右方向（長手方向）全体にわたって形成される。周壁は中空構造とされ、周壁を厚肉にできる。このような周壁により、導風パネル２０の強度アップを図れ、撓みを防止できる。さらに、左右方向側の両端縁にも、同様の補強用の周壁が形成される。したがって、導風パネル２０の捩れを防止できる。
【００２９】
このように、導風パネル２０の四方の端縁を厚肉化して補強することにより、導風パネル２０の変形に対する強度を高めることができ、導風パネル２０の大型化が可能となる。しかも、導風パネル２０は変形しにくい構造となるので、導風パネル２０の前後方向の湾曲具合を大きくすることが可能となり、導風パネル２０が開いたときの送風方向の制御がしやすくなる。すなわち、冷房運転時には、天井に向かうように冷風を導くことができ、冷風の到達距離を長くできる。暖房運転時には、壁に近づくように温風を導き、温風が床面に達するようになる。
【００３０】
また、周壁の先端側に、傾斜面が形成される。周壁の内側面が傾斜面とされる。外側面は、垂直面とされる。導風パネル２０が下開き姿勢にあるとき、吹き出された冷風が左右方向に位置する周壁に当たり、周壁に露が付くことがある。そこで、傾斜面とすることにより、冷風は傾斜面に沿って流れる。冷風は留まることなく流れ、周壁への結露を防止できる。
【００３１】
この周壁に囲まれた導風パネル２０の内面に、断熱材３０が設けられる。断熱材３０は、左右方向の両端側を除き、全面にわたって装着される。断熱材３０の左右方向の幅は、吹出口５の幅よりも大とされる。断熱材３０の表面は面一とされる。したがって、吹出口５に面する導風パネル２０の内面側には突出物がなく、風の流れを妨げない。
【００３２】
図５に示すように、導風パネル２０の内面の左右方向の両側には、支持材３１が設けられる。導風パネル２０は、支持材３１に着脱自在に支持される。支持材３１は、キャビネット３に対してロッド３２を介して取り付けられる。すなわち、導風パネル２０は、開閉機構を構成するロッド３２を介してキャビネット３に取り付けられ、かつキャビネット３に着脱可能とされる。
【００３３】
導風パネル２０の上軸２３は支持材３１の前側に設けられ、下軸２２は支持材３１の後側に設けられる。上下軸２２、２３は、左右方向に沿って配置され、支持材３１から離れるように両端が支持される。上下軸２２、２３は、前後左右方向において、吹出口５よりも外側に位置し、かつ吹出口５よりも前方に位置する。そのため、上下軸２２、２３は、吹出口５から吹き出される風の流れを邪魔することはない。
【００３４】
導風パネル２０の左右方向の両側に、支持材３１を係止する係止部が設けられる。係止部として、左右方向にスライド自在な爪３３が設けられる。爪３３は、前後方向に形成された周壁に対向し、ばね等の付勢部材により周壁に向かって付勢される。爪３３と周壁との間に支持材３１が挟み込まれることにより、支持材３１は導風パネル２０に係止される。爪３３を周壁から離れる方向にスライドさせることにより、導風パネル２０を支持材３１から取り外せる。
【００３５】
なお、前後方向において、爪３３は前側あるいは後側のうち、少なくとも一側に設ければよい。この場合、他側では、導風パネル２０を回動自在に保持するための保持部が設けられる。保持部として、ピンを孔に係合することにより、導風パネル２０を回動自在に保持する。導風パネル２０あるいは支持材３１のいずれか一方にピンが設けられ、他方にピンを受ける孔が形成される。ピンを孔に嵌め込むことにより、支持材３１は導風パネル２０を回動可能に保持する。このように、導風パネル２０は、前後方向において支持材３１に２点で支持される。
【００３６】
爪３３を一側に設ける場合、作業性を考慮して、前側に設けるとよい。この場合、ユーザは、導風パネル２０を下開き姿勢にした状態で爪３３を見ながら、導風パネル２０を着脱できる。したがって、着脱作業を容易にかつ確実に行うことができる。また、爪３３の係止が解除されても、ピンは孔に嵌まったままであるので、導風パネル２０は支持材３１に回動自在に支持され、導風パネル２０は支持材３１にぶら下がった状態となる。そのため、導風パネル２０が落下することはない。その後、ピンを孔から外すと、導風パネル２０を支持材３１から完全に取り外せる。
【００３７】
上記のパネル構造では、爪３３が導風パネル２０の内面側に設けられているため、導風パネル２０を下開き姿勢または上開き姿勢にして取り外しを行う必要があった。そこで、必ずしも下開き姿勢や上開き姿勢などにしなくても、導風パネル２０が閉姿勢のときでも着脱できるパネル構造とする。以下に、このパネル構造について説明する。
【００３８】
本パネル構造では、図８に示すように、導風パネル２０の左右方向の両側に、支持材３１を係止する係止部３００が設けられる。また、支持材３１に対して導風パネル２０を回動自在に保持する保持部３０１が設けられる。係止部３００により導風パネル２０の後側が支持され、保持部３０１により導風パネル２０の前側が支持され、導風パネル２０は支持材３１に２点で支持される。すなわち、導風パネル２０が閉姿勢にあるとき、保持部３０１は、係止部３００よりも上側に位置する。なお、図８中、図面の上側が導風パネル２０の前側、下側が導風パネル２０の後側である。
【００３９】
係止部３００は、支持材３１を押え込む可動部材３０２を備える。可動部材３０２は、図９〜１２に示すように、導風パネル２０の内面側に左右方向にスライド自在に設けられる。可動部材３０２は、内端側、すなわち導風パネル２０の中央寄りの端部側に爪３０３を有し、外端側、すなわち導風パネル２０の外側寄りの端部側に操作ボタン３０４を有する。爪３０３と操作ボタン３０４とが連結板３０５により一体的に連結される。連結板３０５は、支持材３１の裏面側に位置する。
【００４０】
爪３０３は、支持材３１の表裏面を挟み込むように支持材３１を係合する。支持材３１の内端側、すなわち導風パネル２０の中央寄りの端部側に係止片３０６が突設され、爪３０３は係止片３０６に係合される。爪３０３の内端側にピン３０７が突設され、導風パネル２０に立設された縦壁３０８に形成された保持孔３０９に、ピン３０７が挿通される。ピン３０７の周囲にばね３１０が挿入され、ばね３１０は縦壁３０８と爪３０３との間に介装される。ばね３１０は、外から触れないように、覆い片３１１によりカバーされている。
【００４１】
そして、ばね３１０は、外端側に向かって爪３０３を付勢する。このばね３１０のような付勢部材を設けることにより、爪３０３が支持材３１に向かって押され、爪３０３が支持材３１を係止する。したがって、導風パネル２０が開閉するとき、支持材３１の係止を維持でき、導風パネル２０が支持材３１から外れることを防止できる。付勢部材としては、弾性を有する部材であればよく、弾性ゴムを用いてもよい。なお、支持材３１は、導風パネル２０の内面に左右方向に移動しないように、位置決めされている。そのため、爪３０３が、ばね３１０に付勢されて、支持材３１に当接しても、支持材３１は外側にずれない。
【００４２】
操作ボタン３０４は、図１３、１４に示すように、導風パネル２０の左右方向側の周壁３２０に形成された貫通孔３２１に挿通される。ばね３０３の付勢力により、図１１に示すように、操作ボタン３０４は、貫通孔３２１から導風パネル２０の外面に露出する。これにより、可動部材３０２を外部から操作可能とされる。
【００４３】
図１０、１２に示すように、ユーザが操作ボタン３０４を押し込む操作することにより、可動部材３０２は、ばね３１０の付勢力に抗して導風パネル２０の長手方向中央側に移動する。これに伴い、爪３０３が移動して、支持材３１の係止が解除される。
導風パネル２０が、支持材３１から取り外されたとき、可動部材３０２は、ばね３１０によって外端側に移動する。操作ボタン３０４の外周には、段差３２２が形成され、操作ボタン３０４が外側に向かって移動すると、段差３２２が貫通孔３２１の内面側の周縁に当接する。これにより、図１１に示すように、可動部材３０２がばね３１０に付勢されて押されても、操作ボタン３０４が導風パネル２０の外面から大きく突出することを防げる。
【００４４】
可動部材３０２は、左右方向（導風パネル２０の長手方向）において導風パネル２０に移動自在に保持されている。すなわち、外端側では、操作ボタン３０４が貫通孔３２１に嵌め込まれ、内端側では、ピン３０７が保持孔３０９に嵌め込まれている。これにより、可動部材３０２は、左右方向の両側が導風パネル２０に保持され、導風パネル２０から外れない。
【００４５】
操作ボタン３０４が押されたときに、可動部材３０２は内側に向かって移動するが、この移動が規制される。導風パネル２０にリブ３２３が突設され、このリブ３２３に可動部材３０２が当接して、移動が規制される。可動部材３０２の連結板３０５に、スリット３２４が形成され、スリット３２４内に、薄片３２５が突出して形成される。薄片３２５の厚みは連結板３０５より薄い。この薄片３２５がリブ３２３に当接すると、可動部材３０２の移動が停止される。このとき、図１２に示すように、操作ボタン３０４は貫通孔３２１から抜け出ない。ピン３０７は保持孔３０９に嵌まっているので、可動部材３０２は導風パネル２０から外れない。
【００４６】
ここで、可動部材３０２を導風パネル２０に装着するために、保持孔３０９の孔壁はテーパ状に形成され、可動部材３０２のピン３０７を斜め上から保持孔３０９に挿入できる。ピン３０７を保持孔３０９に挿入した後、可動部材３０２を押し下げ、操作ボタン３０４が周壁３２０に当たらないように、可動部材３０２を内端側に寄せる。このとき、リブ３２３に薄片３２５が当接する。薄片３２５は薄いので、薄片３２５は撓みやすく、リブ３２３に当たって撓むことにより、連結板３０５が導風パネル２０に当たるまで押し下げることができる。そして、ばね３１０の付勢力により、可動部材３０２が外端側に移動して、操作ボタン３０４が貫通孔３２１に嵌まる。
【００４７】
図８に示すように、導風パネル２０と支持材３１とは、回動軸３３０と軸受３３１とによって構成される保持部３０１により回動可能に係合される。図１５、１６に示すように、支持材３１の前側に、回動軸３３０が突設される。回動軸３３０は、左右一対に設けられる。なお、図中、８０はロッド３２を回動自在に取り付けるための支軸である。図１５、１６中、図面の上側が支持材３１の前側である。
【００４８】
導風パネル２０の前側には、図１３、１４に示すように、軸受３３１が左右一対に設けられる。軸受３３１は、回動軸３３０が抜けないように回動軸３３０を受ける。図１３、１４中、図面の上側が導風パネル２０の前側、下側が導風パネル２０の後側である。
【００４９】
導風パネル２０が閉姿勢にあるとき、後述するように、支持材３１の上軸２３および下軸２２は、開閉機構によりロックされ、支持材３１は、キャビネット３に近接した状態に保持される。閉姿勢の導風パネル２０において、ユーザが操作ボタン３０４を押すと、可動部材３０２はスライドし、爪３０３が支持材３１から離れる。導風パネル２０と支持材３１との係合が解除され、導風パネル２０の後側は支持材３１から離れる。導風パネル２０の前側では、支持材３１の回動軸３３０に導風パネル２０の軸受３３１が係合されているので、図１７に示すように、導風パネル２０は、支持材３１にぶら下がった状態となる。したがって、着脱作業中、導風パネル２０は落下することはない。この状態において、キャビネット３の吹出口５が外部に露出するので、吹出口５内部の清掃やメンテナンスを行うことができる。さらに、導風パネル２０を持ち上げるようにして、回動軸３３０から軸受３３１を外すと、キャビネット３に保持された支持材３１から導風パネル２０を完全に取り外せる。
【００５０】
このように、係止部３００が保持部３０１よりも後側、すなわち下側にあると、操作ボタン３０４は床に近い。そのため、ユーザは、着脱のための操作をしやすくなる。導風パネル２０はぶら下がった状態にあるので、簡単な作業では邪魔にならない。
【００５１】
導風パネル２０を取り付けるとき、まず導風パネル２０の軸受３３１を支持材３１の回動軸３３０に引っ掛ける。図１７に示すように、導風パネル２０の前側が支持材３１に支持される。導風パネル２０は、回動軸３３０を中心に回動可能となる。操作ボタン３０４を押しながら、導風パネル２０の後側を持ち上げ、導風パネル２０を反時計回りに回動させる。
【００５２】
導風パネル２０が支持材３１に当接すると、操作ボタン３０４を離す。ばね３１０の付勢力により、可動部材３０２が移動して、爪３０３が支持材３１を挟み込む。導風パネル２０の後側が支持材３１に支持され、導風パネル２０は支持材３１に取り付けられる。このように、導風パネル２０が閉姿勢にあるときに、導風パネル２０を着脱することができる。なお、導風パネル２０が上開き姿勢あるいは下開き姿勢にあるときでも、同様に導風パネル２０を支持材３１に対して着脱することができる。
【００５３】
図１１、１２に示すように、爪３０３の上面は、傾斜面に形成される。支持材３１の内端側の下側角は丸みを帯びている。これにより、操作ボタン３０４を押さなくても、導風パネル２０を支持材３１に取り付けることができる。
【００５４】
支持材３１がないとき、可動部材３０２は、ばね３１０の付勢力により、導風パネル２０の外側に向かって押され、段差３２２が貫通孔３２１の周縁に当接して、図１１に示すような支持材３１を係止可能な位置にある。導風パネル２０の後側を回動軸３３０を中心に半時計回りに回動させると、支持材３１の下側角に爪３０３が当たる。そのまま回動させると、可動部材３０２は、支持材３１に押され、中央側に向かって移動する。支持材３１の下側角が爪３０３の傾斜面を乗り越える。ばね３１０の付勢力により、可動部材３０２が外側に向かって移動して、爪３０３が支持材３１を係止する。このように、操作ボタン３０４を押さずに導風パネル２０は支持材３１に取り付けることができ、より簡単に導風パネル２０を装着できる。
【００５５】
この導風パネル２０の着脱作業において、ユーザは支持材３１に触れることなく作業を行うことができる。すなわち、ユーザは、導風パネル２０の左右方向の外側だけを持ち、必要に応じて操作ボタン３０４を操作すればよく、容易に導風パネル２０を着脱することができる。また、導風パネル２０は、開閉機構に直接取り付けられた構造ではなく、支持材３１を介して取り付けられた構造とされる。そのため、導風パネル２０の着脱の際、開閉機構に対する影響はなく、装着時の取付ミス等によって導風パネル２０の開閉動作不良が起こる可能性を低減することができる。
【００５６】
図１８〜２１に示すように、吹出口５には、風向板２４および補助ルーバ８００が設けられる。風向板２４は、左右方向に角度を変えて、左右方向の風向きを変える。補助ルーバ８００は、風向板４の前方で吹出口５の出口部分に設けられ、導風パネル２０の姿勢に応じて上下方向の角度を変え、吹き出される風を整流しながら上下方向の風向きを変える。
【００５７】
補助ルーバ８００は、左右方向に長い板状に形成され、前後端部は先細に形成される。後端部側には、左右端部に形成された軸連結部に軸方向を左右方向とする回転軸８０１が固定される。この回転軸８０１は、吹出口５に至る空気通路６を形成する上下の壁５ａ，５ｂのうち、上壁５ａ側に配置されて、吹出口５の左右側壁を貫通して回転自在に軸受けされる。そして、回転軸８０１の軸端には図示しない減速機構を介してルーバモータ８０３が連結され（図７参照）、ルーバモータ８０３が制御装置４１によって駆動制御される。
【００５８】
制御装置４１は、導風パネル２０の下端が上軸２３周りに前側に開放した上開き姿勢で、風向を変更するように補助ルーバ８００を風の流れに対して角度をもって配向するようルーバモータ８０３を駆動制御する。また、制御装置４１は、導風パネル２０の上端が下軸２２周りに下開きした下開き姿勢で、補助ルーバ８００を風の流れと平行に配向制御するようルーバモータ８０３を駆動制御する。
【００５９】
さらに、制御装置４１は、導風パネル２０の上開き姿勢で、補助ルーバ８００によって吹出口５の前方を遮蔽し、前方に向かって吹き出される空気を押さえ込んで下方に導くように補助ルーバ８００の姿勢を制御する。また、導風パネル２０の上開き姿勢で、吹出口５から吹出した風を補助ルーバ８００と導風パネル２０の２つの部材に当てて二段階で風向を変更するよう補助ルーバ８００の角度を制御する。以下に、導風パネル２０および補助ルーバ８００の姿勢を例示する。
【００６０】
図４は導風パネルが上開き姿勢で、補助ルーバ８００を風の流れに対して角度を持って配向した例である。この例では、吹出口５から吹出した空気は、補助ルーバ８００を風の流れに対して角度を持たせているので、風が補助ルーバ８００により整流され、その一部は補助ルーバ８００の下側を通って導風パネル２０に干渉されずに直接斜め下方に流れる。また、残部の風は補助ルーバ８００で整流された後、導風パネル２０の内面に当たり、その内側湾曲面に沿って斜め下方に導かれる。
【００６１】
図６は導風パネルが下開き姿勢で、補助ルーバ８００を風の流れと平行に配向した例である。この例では、導風パネル２０は下軸２２周りに下回動してほぼ水平な姿勢を取る。つまり、導風パネル２０は、下開き姿勢のとき、吹出口５の下壁とつながり、導風パネル２０と吹出口５の上壁５ａとによってロングノズルを形成する。したがって、導風パネル２０により、風を斜め上方向に導き、天井に沿って遠方まで吹き出すことができる。このとき、補助ルーバ８００は、風の流れと平行に配向されるので、風の流れを無理に遮断することがなく、吹出口５から吹出した空気を遠方まで導くように作用する。
【００６２】
図１８は導風パネルの上開き姿勢で導風パネル２０の開き角度を抑えてほぼ垂直姿勢とし、補助ルーバ８００を風の流れに対して角度を持たせて整流した例である。この例では、吹出口５から吹出した空気は、補助ルーバ８００により整流され、導風パネル２０に当たって風向が変更され、吹出口５から直下方向に風が流れる。したがって、この例では、補助ルーバ８００による風向の変更と、風の下流側に位置する導風パネル２０による風向変更との２段階による風向変更により、吹出口５の直下に送風している。また、補助ルーバ８００と導風パネル２０とにより段階的に風向を変更するため、極端な風向の変更に比べて風切り音も低減できる。
【００６３】
図１９は導風パネルの上開き姿勢で導風パネル２０の開き角度を抑えてほぼ垂直姿勢としているが、主な風向変更機能を補助ルーバ８００で担うよう、補助ルーバ８００を垂直方向に配向して風の流れを遮断し、風を下方に押さえ込むようにした例である。この例では、主に補助ルーバ８００によって風向変更機能が発揮され、図１８に示す垂直直下への風の流れよりもわずかに斜め下方に向かう風の流れになる。
【００６４】
図２０は、図４に示す姿勢と同様に、導風パネルの上開き姿勢で導風パネル２０を最大限に開き、補助ルーバ８００を風の流れに対して角度を持って配向した例である。本例では、補助ルーバ８００が風向を変更するため吹出口５の出口近辺で軸８０１周りに回動自在に設けられているため、補助ルーバ８００と吹出口５の上壁５ａとの間には空間８０４が発生し、この空間８０４を通って上壁５ａに沿った空気の流れが発生し、空気が漏れてその一部が導風パネル２０に当たり、左右方向に抜ける可能性もある。
【００６５】
そこで、このような空気の漏れをなくすために、図２０に示すように、補助ルーバ８００の軸８０１よりも前側で上壁５ａに、空気通路６からの風の流れを上壁５ａから離して補助ルーバ８００に沿わせるための突起９０１を形成している。突起９０１は、断面三角形状のものを例示したが、断面半円形など、他の形状であってもよい。この突起９０１により、上壁５ａに沿った空気の流れが突起９０１によってジャンプして補助ルーバ８００側に沿わせることができる。
【００６６】
導風パネル２０の開閉機構は、図２１に示すように、導風パネル２０をキャビネット３に対して近接離間させる移動部５０と、導風パネル２０が移動するときに導風パネル２０の開く方向を規制する規制部５１とからなる。
【００６７】
導風パネル２０を開くとき、移動部５０は、導風パネル２０をキャビネット３から離れる方向に移動させる。このとき、規制部５１は、上開きあるいは下開きのいずれか一方の開きを許容し、他方の開きを規制することによって、導風パネル２０の開く方向を切り換える。下開きが規制されると、導風パネル２０は上開きする。逆に、上開きが規制されると、導風パネル２０は下開きする。導風パネル２０を閉じるとき、移動部５０は、導風パネル２０をキャビネット３に近づく方向に移動させる。
【００６８】
すなわち、規制部５１は、上軸２３あるいは下軸２２を移動しないようにロックすることによって、開く方向を規制する。下開きするときは、下軸２２がロックされる。上開きするときは、上軸２３がロックされる。
【００６９】
また、規制部５１は、導風パネル２０を閉姿勢に保持する機能を有する。閉姿勢の導風パネル２０は、キャビネット３の前パネル２１に近接している。このとき、規制部５１は、上軸２３および下軸２２をロックする。導風パネル２０を引き離そうとする外力がかかっても、両軸２２、２３がロックされているので、導風パネル２０は動かない。
【００７０】
このように、導風パネル２０を開閉するための駆動源として、導風パネル２０を移動させるためだけの駆動源を備えればよい。しかも、駆動源は、導風パネル２０に対して往復動といった単純な動作を行わせるものでよい。したがって、導風パネル２０を往復移動させる移動部５０を簡単な機構にできる。これにより、開閉機構を簡略化でき、開閉機構の小型化を図れる。
【００７１】
規制部５１は、図２２、２３に示すように、上下軸２２、２３を保持する上下一対のフック５２、５３、各フック５２、５３の動作を規制して、開く方向を切り換える切換部５４、各フック５２、５３を連動して動作させる連動部５５、連動部５５を駆動する駆動部５６を備える。移動部５０は、図２４〜２６に示すように、導風パネル２０を保持するロッド３２、ロッド３２をキャビネット３から出し入れする移動機構部５７、移動機構部５７を駆動する駆動部５８を備える。なお、図２１、２４〜２６では、導風パネルの移動部および規制部の機構を分かりやすくするため、補助ルーバを省略して図示している。
【００７２】
規制部５１は、キャビネット３の内部に左右一対に設けられ、吹出口５よりも左右方向の外側に配置される。図２７に示すように、規制部５１は、ベース板６０上に構成され、ユニット化されている。ベース板６０は、キャビネット３の内部に固定される。
【００７３】
上フック５２および下フック５３は、ベース板６０に固定された固定軸６１に回転自在に支持される。前パネル２１に、各フック５２、５３が出没する出入口２１ａが上下にそれぞれ形成される。上フック５２は、出入口２１ａから突出して、上軸２３を下側から引っ掛ける。前パネル２１に形成された受台６２と上フック５２とにより、上軸２３を挟み込んで保持する。同様に、下フック５３も出入口から突出して、下軸２２を下側から引っ掛け、下フック５３と受台６３とにより下軸２２を挟み込んで保持する。
【００７４】
連動部５５は、リンク機構を利用して、各フック５２、５３を動作可能とする。具体的には、連動部５５は、上下一対のリンク材６４、６５および連動板６６からなる。上下のリンク材６４、６５は、それぞれ上下のフック５２、５３と連動板６６とを連結する。すなわち、上リンク材６４の一端に軸６４ａが形成され、この一端軸６４ａが上フック５２の軸孔に嵌められる。上リンク材６４の一端に、上フック５２が回動自在に支持される。下リンク材６５と下フック５３に関しても同様である。
【００７５】
上リンク材６４の他端は、連動板６６に回動自在に取り付けられる。連動板６６は、扇形ギアとされ、その円弧面に歯が形成される。連動板６６は、ベース板６０に突設された固定軸６７に回動自在に支持される。連動板６６に、一対の長溝６８が形成され、各長溝６８に、上下のリンク材６４、６５の他端軸６４ｂ、６５ｂが嵌められる。各長溝６８は、固定軸６７を中心とする半径方向に延びている。各リンク材６４、６５の他端軸６４ｂ、６５ｂは、半径方向に移動可能とされ、長溝６８によって遊びが設けられる。
【００７６】
連動板６６の回動により、各リンク材６４、６５が、フック５２、５３の固定軸６１と連動板６６の固定軸６７との間で連動して移動する。これにより、各フック５２、５３は固定軸６１周りに回動可能となる。
【００７７】
駆動部５６は、複数のギア６９と、規制モータ７０とからなる。ベース板６０に取り付けられた載置台７１に規制モータ７０が設けられる。規制モータ７０のモータ軸にギア６９が嵌め込まれ、複数のギア６９を介して規制モータ７０の駆動力が連動板６６に伝達される。規制モータ７０が駆動すると、連動板６６が固定軸６７周りに回転する。
【００７８】
切換部５４は、図２３に示すように、各リンク材６４、６５の他端軸６４ｂ、６５ｂの移動をガイドする。載置台７１に、規制溝７２が形成され、規制溝７２に両他端軸６４ｂ、６５ｂが嵌められる。規制溝７２によって、各リンク材６４、６５が異なる動きをすることにより、各フック５２、５３の動きが決まる。すなわち、一方のフック５２、５３が移動するとき、他方のフック５２、５３は規制されて移動しない。切換部５４は、開く方向に応じて各フック５２、５３の動きを決める。
【００７９】
規制溝７２は、略コ字状に形成される。規制溝７２は、上ロック溝７２ａ、中立溝７２ｂ、下ロック溝７２ｃの３つの溝からなり、３つの溝が連続してつながっている。上ロック溝７２ａは、上リンク材６４の一端軸６４ａを中心とする円弧に沿って形成される。下ロック溝７２ｃは、下リンク材６５の一端軸６５ａを中心とする円弧に沿って形成される。中立溝７２ｃは、連動板６６の固定軸６７を中心とする円弧に沿って形成される。
【００８０】
図２２（ａ）・BR>A２３（ａ）に示すように、中立溝７２ｂに両他端軸６４ｂ、６５ｂがあるとき、各フック５２，５３がそれぞれ上下軸２２、２３を保持して、両軸２２、２３がロックされる。このときの状態を初期状態とする。図２２（ｂ）、２３（ｂ）に示すように、上ロック溝７２ａに上リンク材６４の他端軸６４ｂがあるとき、上フック５２が上軸２３を保持して、上軸２３がロックされる。下フック５３は下軸２２から外れる。図２２（ｃ）、２３（ｃ）に示すように、下ロック溝７２ｃに下リンク材６５の他端軸６５ｂがあるとき、下フック５３が下軸２２を保持して、下軸２２がロックされる。上フック５２は上軸２３から外れる。
【００８１】
初期状態にあるときに、連動板６６が時計回りに回動すると、上リンク材６４の他端軸６４ｂは、上ロック溝７２ａに沿って移動する。上リンク材６４の他端軸６４ｂは一端軸６４ａを中心にして円周方向に移動する。上リンク材６４は、半径方向には移動しないので、一端軸６４ａも移動しない。そのため、上フック５３は回動しない。一方、下リンク材６５の他端軸６５ｂは、中立溝７２ｂに沿って移動する。一端軸６５ａが引っ張られ、移動する。下フック５３が時計回りに回動する。これによって、図２２（ｂ）、２３（ｂ）に示すように、下軸２２のロックが解除される。初期状態にあるときに、連動板６６が反時計回りに回動すると、同様にして、図２２（ｃ）、２３（ｃ）に示すように、上軸２３のロックが解除される。なお、上記の動作は、左右の規制部５１において同期するように、制御装置４１は、左右の規制モータ７０を駆動する。なお、規制モータ７０は、ステッピングモータを用い、開く方向に応じて正逆転される。
【００８２】
移動部５０は、キャビネット３の内部に左右一対に設けられ、規制部５１よりも左右方向の外側に配置される。図２４〜２６に示すように、ロッド３２の前端が前パネル２１に形成された縦長の孔２１ｂ（図３参照）から外側に突出する。支持材３１に、ロッド３２を取り付けるための支軸８０が設けられる。ロッド３２の前端が支軸８０に回動自在に支持される。支軸８０は、前後方向において中央よりも前側寄りに偏心して位置する。ロッド３２は、断面が円形とされる。風が当たったとき、風が表面に沿って流れやすくなるので、冷風が吹き付けられても、結露しにくい。さらに、ロッド３２は中空構造とされる。これによって、強度を維持しながら軽量化でき、ロッド３２を移動させるモータへの負荷を軽減できる。
【００８３】
移動機構部５７は、導風パネル２０を開くときには、ロッド３２の前端を前方に移動させ、閉じるときには、後方に移動させる。移動機構部５７は、ロッド３２を保持して、往復動する移動板８１とされる。移動板８１は、図２８に示すように、扇形に形成され、ベース板８２に固定された固定軸８３に回転自在に支持される。ベース板８２は、キャビネット３に対して固定される。
【００８４】
移動部５０も規制部５１と同様にユニット化されている。ここで、規制部５１および移動部５０は、キャビネット３の左右両側のスペースに並んで配置されている。両者を１つのユニットにすれば、開閉機構ユニットとして取り扱うことができ、取付作業が容易になる。また、移動部５０を少ない部品によって構成できるので、ユニットの小型化、薄型化を実現できる。これにより、限られたスペースの中に開閉機構を収めることができ、吹出口５の幅を大きくすることが可能となる。大きな吹出口５になれば、幅方向の送風範囲が広くなり、部屋の隅々まで風を行き届けることができる。
【００８５】
ロッド３２の後端が、移動板８１の前端近傍に回動軸８４を介して回動自在に取り付けられる。移動板８１には、円弧溝８５が形成される。円弧溝８５は、固定軸８３を中心とする円弧上に形成される。円弧溝８５に、ラックが形成される。駆動部５８は、開閉モータ８６と、モータ軸に取り付けられたギア８７とからなる。このギア８７が円弧溝８５内に挿入され、ラックと噛み合う。
【００８６】
開閉モータ８６が駆動されると、ギア８７の回転に伴って、移動板８１が固定軸８３周りに回動し、ロッド３２が前パネル２１から出入りする。図２４に示すように、導風パネル２０が閉姿勢のとき、移動板８１は後側に位置する。ロッド３２の前端だけが前パネル２１から突出している。このような状態が初期状態である。
【００８７】
下軸２２のロックが解除されているとき、開閉モータ８６が駆動されると、図２５に示すように、移動板８１は反時計回りに回動する。ロッド３２は押し出され、前端が前方に移動する。導風パネル２０は、上軸２３周りに回動して、上開きする。なお、移動板８１が一定角度、例えば５０度回動するように、開閉モータ８６は制御される。
【００８８】
上軸２３のロックが解除されているとき、開閉モータ８６が駆動されると、図２６に示すように、移動板８１は反時計回りに回動する。ロッド３２は押し出され、前端が前方に移動する。導風パネル２０は、下軸２２周りに回動して、下開きする。このとき、導風パネル２０が下がるように開くので、ロッド３２の前端も徐々に下がりながら前進する。この場合も、移動板８１は一定角度だけ回動する。
【００８９】
導風パネル２０が開いているとき、開閉モータ８６が駆動され、移動板８１が時計回りに回動すると、導風パネル２０は閉じる。移動板８１の回動により、ロッド３２の後端が後方に移動する。ロッド３２はキャビネット３内に引き込まれていく。これに伴って、導風パネル２０は、上軸２３あるいは下軸２２を中心にして回動する。導風パネル２０がキャビネット３に近づき、閉姿勢となる。
【００９０】
なお、上記の動作は、左右の移動部５０において同期するように、制御装置４１は、左右の開閉モータ８６を駆動する。開閉モータ８６は、ステッピングモータを用い、開閉に応じて正逆転される。
【００９１】
冷暖房運転中、導風パネル２０が開いているとき、導風パネル２０は、上下軸２２、２３のうち一方の軸がロックされている。ここで、導風パネル２０が引っ張られて、外力がかかると、一方の軸（ここでは、上軸２３とする）が押される。上軸２３が押されると、上フック５２が反時計回りに回動しようとする。上リンク材６４は、軸線方向に押される。軸線方向は、上リンク材６４の一端と他端とを結ぶ方向である。上リンク材６４の他端が規制溝７２を通じて載置台７１を押す。このとき、上リンク材６４の他端がある上ロック溝７２ａの方向と上リンク材６４の軸線方向とはほぼ直交している。固定されている載置台７１のため、上リンク材６４は軸線方向に移動しない。そして、上リンク材６４からの力の作用する方向は、上ロック溝７２ａの方向とほぼ直交する。上リンク材６４の他端には、上ロック溝７２ａの方向と平行な方向への力が作用しない。これにより、上リンク材６４は、上ロック溝７２ａに沿って移動せず、上フック５２の回動が阻止される。
【００９２】
したがって、導風パネル２０が開いているときに、外力がかかっても、リンク材６４、６５と規制溝７２との方向を直交する関係にすることにより、ロックが解除されることを防止できる。そのため、開いている導風パネル２０が、ロッド３２に支えられて、ぶら下がるような事態を回避できる。
【００９３】
ところで、導風パネル２０が最大限に開くとき、開く方向に関係なく、ロッド３２の移動量は一定である。しかし、導風パネル２０に対するロッド３２の前端の位置が偏心しているので、上開きと下開きとでは、図４、６に示すように、開き角度が異なる。上開きのときの開き角度が下開きのときの開き角度より大となる。すなわち、開くときの中心から支点までの距離が近いほど、開き角度は大きくなる。中心は上軸２３あるいは下軸２２であり、支点はロッド３２前端の位置である。ロッド３２は上軸２３の近くに取り付けられているので、上開きの開き角度は大きく、下開きの開き角度が小さくなる。
【００９４】
冷房運転時には、下開きするが、開き角度が大きいと、導風パネル２０が水平線よりも下がってしまう。これでは、冷風は水平方向に流れ、天井に向かう気流が生じない。冷風の到達距離が短くなり、人に直接冷風が当たってしまう。そのため、下開きの場合、開き角度を小さくすることが望ましい。暖房運転時には、上開きするが、開き角度が小さいと、温風の出口が狭くなる。導風パネル２０に当たって戻ってきた温風は、逃げ場がなくなり、吹き出された温風と衝突して、流れが乱れる。その結果、床面方向に吹き出す風速が弱まり、温風が床面まで達しなくなる。
【００９５】
このように、冷暖房運転時に、効率のよい送風を行えず、能力を最大限発揮させることができない。しかし、上記のように、上開きの開き角度を大きく、下開きの開き角度を小さくすることにより、冷房運転時には、冷風を天井に向かって吹き出すことができ、暖房運転時には、温風の出口が広くなり、スムーズな温風の流れを形成することができる。したがって、空気調和機の最大能力を遺憾なく発揮させることができる。
【００９６】
空気調和機では、ユーザがリモコンを操作したときの指示により、あるいはタイマの設定時間になったときに、冷暖房運転が行われる。制御装置４１は、冷凍サイクル４０を制御するとともに、導風パネル２０および補助ルーバ８００の開閉を制御する。このとき、制御装置４１は、移動部５０と規制部５１とを連動させる。
【００９７】
制御装置４１は、冷暖房運転を行うとき、予め決められたタイミングにしたがって、規制モータ７０および開閉モータ８６の駆動をオンオフする。また、補助ルーバ８００のルーバモータ８０３の駆動をオンオフする。すなわち、各モータ７０、８６、８０３は、シーケンス制御される。
【００９８】
補助ルーバ８００の動作タイミングは、導風パネル２０の開放した後に開回動し、また、導風パネルの閉動作に先立ち補助ルーバ８００を閉回動する。急速冷房のとき、導風パネル２０は、一旦、上軸周りに上開き姿勢を取った後、閉姿勢を経て下軸周りに下開き姿勢を取るよう切り換わるが、このとき、補助ルーバ８００は、導風パネル２０の開動作後に開動作し、導風パネル２０の閉動作前に閉回動するようシーケンス制御される。
【００９９】
また、制御装置４１は、運転の開始に先立ってイニシャル動作を行う。すなわち、制御装置４１は、運転停止時の導風パネル２０の位置を判断して、初期状態にないとき、イニシャル動作として、初期状態になるように移動部５０および規制部５１を動作させる。運転開始時、初期状態にあるとき、イニシャル動作をせずに、運転を開始する。なお、導風パネル２０が閉姿勢にあるときが初期状態であり、導風パネル２０の開き角度と、移動部５０および規制部５１の各部材の状態とは関連性を有している。
【０１００】
図２４に示すように、導風パネル２０の位置を検出するための位置検出センサ９０が、移動部５０に設けられる。なお、位置検出センサ９０は、左右の移動部５０に設けられる。位置検出センサ９０は、リミットスイッチとされる。位置検出センサ９０は、キャビネット３内において、移動部９０のベース板８２に取り付けられる。位置検出センサ９０は、初期状態にあるときの移動板８１に近接するように配置される。初期状態にあるとき、移動板８１に取り付けられたロッド３２が位置検出センサ９０に接触する。したがって、位置検出センサ９０は、導風パネル２０が初期状態、すなわち閉姿勢にあることを検出する。
【０１０１】
なお、位置検出センサ９０は、導風パネル２０の位置を直接検出してもよく、リミットスイッチ等の接触式センサに限らず、光センサ、カメラ等の非接触式センサを用いてもよい。
【０１０２】
制御装置４１は、位置検出センサ９０の検出信号に基づいて、初期状態にあるかないかを判断する。通常、運転停止時には、導風パネル２０は閉姿勢にあり、移動部５０および規制部５１は初期状態にある。しかし、何らかの事情により、初期状態にないとき、制御装置４１は、位置検出センサ９０からの検出信号により、初期状態にないと判断する。そこで、制御装置４１は、イニシャル動作を行って、強制的に初期状態にする。
【０１０３】
従来、導風パネル２０が最も開いた状態から閉じた状態（初期状態）となるまでの時間を初期化時間としてメモリしておき、冷房や暖房の運転開始時に初期化時間の間、導風パネル２０を閉じるというイニシャル動作を必ず行ってから、冷房や暖房などの通常運転を行うようにしていた。しかしながら、このような従来のイニシャル動作では、冷房運転や暖房運転などの運転開始時に初期状態にあっても必ず初期化時間の間、イニシャル動作が行われるため、冷房運転や暖房運転の通常動作に移るまで時間がかかっていた。
【０１０４】
本実施の形態のように、位置検出センサ９０を設けることで、運転開始時に導風パネル２０が初期状態にあるか否かを検知することができるので、運転開始時に導風パネル２０が初期状態にあるときには、イニシャル動作を行わずに冷房運転や暖房運転を行うことができる。
【０１０５】
また、運転開始時に導風パネル２０が初期状態にない場合には、イニシャル動作を行い、位置検出センサ９０が初期状態にあると検出した時点でイニシャル動作を終了し、冷房運転や暖房運転に移ることができる。また、導風パネル２０がもっとも開いた状態ではなく、少し開いた状態や中間くらいまで開いた状態であってもイニシャル動作を行うが、位置検出センサ９０が初期状態にあると検出した時点でイニシャル動作を終了するので、初期化時間の間イニシャル動作を行わずに冷房運転や暖房運転に移ることができる。
【０１０６】
以上のように、位置検出センサ９０からの検出結果を利用することでイニシャル動作に要する時間を低減することができ、速やかに通常運転に移ることができる。なお、位置検出センサ９０が、導風パネル２０が初期状態にあることを検出していない場合には、導風パネル９０の開動作を行わず、閉動作のみを行うようにする。
【０１０７】
イニシャル動作を所定時間行っても、導風パネル２０が初期状態とならない場合には、一旦導風パネル２０を全開状態、すなわち、閉状態から全開状態とするために必要な時間だけ開動作を行って、全開状態にする。そして、補助ルーバ８００を閉状態とし、その後、導風パネル２０を閉状態としてもよい。この動作を行っても、導風パネル２０が初期状態となったことを位置検出センサ９０が検出できない場合は、動作不良としてエラー表示を行う。
【０１０８】
なお、空気調和機のコンセントを初めて商用電源に接続した場合や、停電などにより一旦空気調和機への通電が途切れた場合などにおいては、補助ルーバ８００を閉状態とする必要があるため、まず、導風パネル２０を少なくとも補助ルーバ８００が回動可能となるまで開き（例えば、全開状態となるまで導風パネル２０を開き）、補助ルーバ８００を閉状態としてから、導風パネル２０を初期状態とする。
【０１０９】
初期状態において、移動部５０では、図２４に示すように、移動板８１が後側の位置にある。規制部５１では、図２１、２３（ａ）に示すように、上下のリンク材６４、６５の他端軸６４ｂ、６５ｂが中立溝７２ｂに位置する。
【０１１０】
暖房運転を開始すると、制御装置４１は、まず規制部５１の規制モータ７０を駆動する。この駆動により、連動板６６が時計回りに回動する。上リンク材６４は、一端を中心に回動する。下リンク材６５の他端軸５４ｂが中立溝７２ｂに沿って移動することにより、下リンク材６５が引き上げられる。下フック５３が時計回りに回動して、下軸２２のロックが解除される。
【０１１１】
制御装置４１は、規制モータ７０の起動タイミングから少し遅らせて、移動部５０の開閉モータ８６を駆動する。開閉モータ８６の起動タイミングは、下フック５３が下軸２２から離れた後である。すなわち、制御装置４１は、所定の第１タイミングに達したとき、規制モータ７０を停止する。この第１タイミングは、図２３（ｂ）に示すように、上フック材６４の他端軸６４ｂが上ロック溝７２ａの終端に達するまでの時間に応じて決められたタイミングである。規制モータ７０の停止後、制御装置４１は、開閉モータ８６を駆動する。
【０１１２】
開閉モータ８６の駆動により、移動板８１が反時計回りに回動する。ロッド３２が前方に押し出され、導風パネル２０がキャビネット３から離れる方向に移動する。導風パネル２０は、上軸２３周りに開いていく。設定された開き角度になると、制御装置４１は、開閉モータ８６を停止する。なお、開き角度は、開閉モータ８６のステップ数から算出される。
【０１１３】
制御装置４１は、開閉モータ８６を一定時間駆動して、第２タイミングになると、開閉モータ８６を停止する。このとき、図２５に示すような最大の開き角度に達する。導風パネル２０は上開き姿勢となり、温風が床面に向かって吹き出される。
【０１１４】
その後、制御装置４１は、ルーバモータ８０３を動作制御し、補助ルーバ８００を所定の角度まで開動作させ、温風を床面に向かって吹出させる。
【０１１５】
冷房運転の場合も、制御装置４１は、同様のタイミングで規制モータ７０および開閉モータ８６を制御する。ただし、規制モータ７０は、暖房運転時とは反対方向に回転される。開閉モータ８６は、同じ方向に回転される。
【０１１６】
開閉モータ８６は、一定時間駆動したときの第２タイミングになると、停止する。このとき、図２６に示すような最大の開き角度に達する。導風パネル２０は下開き姿勢となり、冷風が天井に向かって吹き出される。その後、制御装置４１は、ルーバモータ８０３を動作制御し、補助ルーバ８００を風の流れと平行に配向動作させ、冷風を天井に向かって吹出すようにする。
【０１１７】
冷暖房運転が終了すると、制御装置４１は、まず、ルーバモータ８０３が動作して補助ルーバ８００を閉動作させる。次に、開閉モータ８６を駆動する。ロッド３２が引き戻され、導風パネル２０がキャビネット３に近づく。制御装置４１は、所定の第３タイミングに達すると、開閉モータ８６を停止する。このとき、図２４に示すように、導風パネル２０は、閉姿勢となって、移動板８１は後側の位置にある。すなわち、第３タイミングは、移動板８１が初期状態に戻るときの時間に応じて決められたタイミングである。なお、位置検出センサ９０は、移動板８１が初期状態に戻ったことを検出する。第３タイミングは、この検出タイミングに応じたものとしてもよい。
【０１１８】
この後、制御装置４１は、規制モータ７０を駆動する。例えば、暖房運転していた場合、図２３（ｂ）に示す状態から図２３（ａ）に示す状態に変化する。下フック５３が回動して、下軸２２がロックされる。制御装置４１は、所定の第４タイミングに達すると、規制モータ７０を停止する。第４タイミングは、下リンク材６５の他端軸６５ｂが上ロック溝７２ａと中立溝７２ｂとの連結位置から中立溝７２ｂと下ロック溝７２ｃとの連結位置に達するまでの時間に応じて決められたタイミングである。
【０１１９】
なお、本発明は、上記実施形態に限定されるものではなく、本発明の範囲内で上記実施形態に多くの修正および変更を加え得ることは勿論である。係止部を支持材に設けてもよく、導風パネルを掴んで係止する。保持部として、導風パネルに回動軸、支持材に軸受を設けてもよい。
【０１２０】
また、係止部を導風パネルの中間に設け、保持部を前側および後側に設けて、３点支持としてもよい。この場合、保持部の回動軸を左右方向にスライド可能にして、回動軸を押し込むことにより、軸受から外れるようにして、容易に着脱できるようにする。
【０１２１】
本実施の形態の空気調和機とは異なる、吹出口を開閉する導風パネルを支持する支持材が腕部の先端近傍に回動自在（または回転自在）に取り付けられた構造の空気調和機にも上記のパネル構造を適用することができる。この場合、本実施形態のように、上軸や下軸を設ける必要がない。すなわち、ロッドが腕部に置き換えられ、その腕部内にギアなどの駆動部品が納められる。その駆動部品がモータにより駆動され、腕部先端に取り付けられている支持材が回動（または回転）する。これに伴い、支持材に取り付けられる導風パネルも回動（または回転）する。
【０１２２】
導風パネルを回動（または回転）させるには、腕部の先端がキャビネットから離れるように腕部をモータなどを用いて吹出口よりも前方に移動させ、導風パネルをキャビネットに接触しない位置で回動（または回転）させて制御する。そして、腕部の移動と導風パネルの回動（または回転）とを制御して、吹出口から吹き出る風を、水平方向や天井に沿って吹き出すことができる位置に導風パネルを移動する、すなわち導風パネルを下開き姿勢とする。または、吹出口から前方に向かって吹き出される風を押さえ込み、風を床面方向に導くことができる位置に導風パネルを移動する、すなわち導風パネルを上開き姿勢とする。導風パネルの開閉を制御することにより、所望の方向に風を吹き出すことができる。
【符号の説明】
【０１２３】
３    キャビネット
５    吹出口
２０    導風パネル
２２    下軸
２３    上軸
３１    支持材
３２    ロッド
３００    係止部
３０１    保持部
３０２    可動部材
３０３    爪
３０４    操作ボタン
３１０    ばね
３３０    回動軸
３３１    軸受
【図１】
2010181147.tif 000003
【図２】
2010181147.tif 000004
【図３】
2010181147.tif 000005
【図４】
2010181147.tif 000006
【図５】
2010181147.tif 000007
【図６】
2010181147.tif 000008
【図７】
2010181147.tif 000009
【図８】
2010181147.tif 000010
【図９】
2010181147.tif 000011
【図１０】
2010181147.tif 000012
【図１１】
2010181147.tif 000013
【図１２】
2010181147.tif 000014
【図１３】
2010181147.tif 000015
【図１４】
2010181147.tif 000016
【図１５】
2010181147.tif 000017
【図１６】
2010181147.tif 000018
【図１７】
2010181147.tif 000019
【図１８】
2010181147.tif 000020
【図１９】
2010181147.tif 000021
【図２０】
2010181147.tif 000022
【図２１】
2010181147.tif 000023
【図２２】
2010181147.tif 000024
【図２３】
2010181147.tif 000025
【図２４】
2010181147.tif 000026
【図２５】
2010181147.tif 000027
【図２６】
2010181147.tif 000028
【図２７】
2010181147.tif 000029
【図２８】
2010181147.tif 000030